(57)【要約】【課題】  構造がシンプルで、釣り場の状態や対象とする魚の種類など様々な条件に対応することができ、変化に富んだ動きをすることができるフィッシング用ジグを提供する。【解手段】  一対の分割体３（４）によって、内部に中空部が形成される小魚等を模した細長い扁平状のジグ本体２を構成するとともに、その内部を仕切り板１０によって複数の部屋Ａ〜Ｈに区画し、仕切られた任意の部屋Ａ〜Ｈにウエイト部材Ｗを、着脱自在に装填できるよう構成してジグ本体とする。【選択図】        図２
2005073664.tif 000002
【特許請求の範囲】
【請求項１】
小魚等を模した細長い扁平状のジグ本体であって、
このジグ本体の内部を中空状に形成すると共に、仕切り板によって内部を複数の部屋に区画し、
仕切られた任意の部屋にウエイト部材を、着脱自在に装填できるよう構成したこと
を特徴とするフィッシング用ジグ。
【請求項２】
前記ジグ本体は、
長さ方向に沿って縦方向に２分割された一対の分割体から構成され、各分割体の相対する部位に仕切り用の突条がそれぞれ一体的に形成されていること
を特徴とする請求項１に記載のフィッシング用ジグ。
【請求項３】
前記ジグ本体は、
長さ方向に沿って縦方向に２分割された一対の分割体から構成され、各分割体の相対する部位に仕切り用の突条がそれぞれ一体的に形成され、かつ両分割体が開閉自在に保持されていること
を特徴とする請求項１に記載のフィッシング用ジグ。
【請求項４】
前記ジグ本体を構成する一対の分割体は、
ビスなどの締結部材で開閉自在に保持されるものであること
を特徴とする請求項３に記載のフィッシング用ジグ。
【請求項５】
前記ジグ本体は、
合成樹脂又は肉厚の薄い鋼材で形成されていること
を特徴とする請求項１〜４のいずれかに記載のフィッシング用ジグ。
【発明の詳細な説明】
【技術分野】
【０００１】
この発明は、擬餌鉤を使って魚を釣るルアー・フィッシングにおいて、小魚などに模して形成した細長い扁平状のフィッシング用ジグに関するものである。
【背景技術】
【０００２】
ルアー（擬餌鉤）をキャスティングし、これを水面または水中でリーリングやロッドワークを駆使することによって魚を釣るルアー・フィッシングは、現在多くの人に趣味またはスポーツとして幅広く行われている。
【０００３】
かかるルアー・フィッシング使用されるルアーにおいて、ウエイトにフックを取付けたものであるジグは、大部分が金属で製作されているため、よく沈み中層から深層にかけて棲息する魚を対象として使用されるルアーで、種類としては、金属製の細長い扁平状のウエイトにフックを取付けたメタルジグと、金属製の球状体のウエイトが取付けられたフックにラバースカートを取付けたラバージグなどを挙げることができる。
【０００４】
前記のメタルジグは、基本的には、鉛やタングステンなどを使用して作られるもので、リーリングすると横に大きく揺れながら上がってくる長いタイプ（ロングスライド：Ｌ．Ｓ）と、横方向にキビキビ動きながら上がってくる短いタイプ（ダートスライド：Ｄ．Ｓ）があり、それぞれ動きに特徴があるため、釣り場の状態や対象とする魚の種類によってジグを交換しなくてはならならず、煩瑣なものであった。
【０００５】
また、従来のメタルジグは、基本的に鉛やタングステン製の中実体であるため、動きが一定でリトリーブを止めた魚に見切られ易く、魚に飽きられ易いという問題を有しているもので、変化に富んだ動きで、魚の喰いつきの良いジグが強く要望されている。
【０００６】
そこで、たとえば、特開２００１−２１１７８４号公報（特許文献１）においては、細長い扁平形状のジグ本体に、所定の角度の羽根を外方に突出するように形成し、このジグ本体の表裏両面にそれぞれ外装体を張り付けたジグが提供されている。
【特許文献１】特開２００１−２１１７８４号公報（特許請求の範囲、図１、図２）
【発明の開示】
【発明が解決しようとする課題】
【０００７】
しかしながら、この特許文献１に記載するジグは、ジグ本体に所定の角度の羽根を外方に突出するように形成しているので、この羽根が水中で水の抵抗を受けて動きを種々変化させ、魚の喰いつきを良くすることができるとされているが、外方に突出するように羽根を形成しているので、海底の岩の隙間や木の枝などに挟まって根がかりを起こしやすく、またジグ自体の構造が複雑で、多数の部材で構成されているため、製造工程も複雑でコスト高になりやすいものである。
【０００８】
この発明はかかる現状に鑑み、構造がシンプルで、釣り場の状態や対象とする魚の種類など様々な条件に対応することができ、変化に富んだ動きをすることができるフィッシング用ジグを提供せんとするものである。
【課題を解決するための手段】
【０００９】
前記の目的を達成するため、この発明の請求項１に記載の発明は、
小魚等を模した細長い扁平状のジグ本体であって、
このジグ本体の内部を中空状に形成すると共に、仕切り板によって内部を複数の部屋に区画し、
仕切られた任意の部屋にウエイト部材を、着脱自在に装填できるよう構成したこと
を特徴とするフィッシング用ジグである。
【００１０】
また、この発明の請求項２に記載の発明は、
請求項１に記載のフィッシング用ジグにおいて、
前記ジグ本体は、
長さ方向に沿って縦方向に２分割された一対の分割体から構成され、各分割体の相対する部位に仕切り用の突条がそれぞれ一体的に形成されていること
を特徴とするものである。
【００１１】
また、この発明の請求項３に記載の発明は、
請求項１に記載のフィッシング用ジグにおいて、
前記ジグ本体は、
長さ方向に沿って縦方向に２分割された一対の分割体から構成され、各分割体の相対する部位に仕切り用の突条がそれぞれ一体的に形成され、かつ両分割体が開閉自在に保持されていること
を特徴とするものである。
【００１２】
また、この発明の請求項４に記載の発明は、
請求項３に記載のフィッシング用ジグにおいて、
前記ジグ本体を構成する一対の分割体は、
ビスなどの締結部材で開閉自在に保持されるものであること
を特徴とするものである。
【００１３】
また、この発明の請求項５に記載の発明は、
請求項１〜４のいずれかに記載のフィッシング用ジグにおいて、
前記ジグ本体は、
合成樹脂又は肉厚の薄い鋼材で形成されていること
を特徴とするものである。
【発明の効果】
【００１４】
この発明のフィッシング用ジグは、細長く扁平でかつ中空なジグ本体の内部を、複数の部屋に区画し、使用目的に応じて所要の部屋内にウエイト部材を入れることができるため、ウエイト部材の配置位置や素材、形状、重さなどを変更することにより、釣り場の状況や対象とする魚などの条件に合わせて対応が可能で、変化に富んだ動きのジグとすることができるので、魚に見切られにくく、喰いつきの良いものとすることができる。
【００１５】
また、この発明のフィッシング用ジグは、ジグ本体をプラスチックで形成しているので耐久性がきわめて高く、基本的には、ジグ本体にウエイト部材を入れてネジで接合するだけであるため、構造がシンプルで、低コストで生産でき、さらには、組立てが簡単なことから、組立てることなく各パーツをジグセットとして出荷したり、パーツのみを販売したりできるので非常に有用なものである。
【発明を実施するための最良の形態】
【００１６】
この発明のフィッシング用ジグは、細長く扁平でかつ中空なジグ本体の内部を、複数の部屋に区画し、使用目的に応じて所要の部屋内にウエイト部材を着脱自在に装填可能なように構成したことを特長とするもので、以下、この発明のフィッシング用ジグの好ましい実施の形態を、添付の図面に基づいて具体的に説明する。
【００１７】
図１は、この発明のフィッシング用ジグの一例を示すもので、このフィッシング用ジグ１は、細長くかつ扁平な一対の分割体３，４によって内部が中空なジグ本体２を形成し、このジグ本体２内に後述するウエイト部材Ｗが着脱自在に装填できるよう構成されたもので、各分割体３，４の表面には必要に応じて目やウロコなどが表示され、ジグ本体２の前後には左右方向に貫通する取付け孔５，６を形成し、各取付け孔５，６にそれぞれリング状のアイ７，８を装着し、前方のアイ７にはティペット（道糸）の一端を、後方のアイ８にはフック９を取付けたものである。
【００１８】
前記ジグ本体２は、一方の分割体３の正面図を示す図２で明らかなように、分割体３の内側に細長くて浅い凹部を形成する。同様に図示しないが他方の分割体４の内側にも、前記分割体３の凹部と相対させて凹部を形成し、この凹部同士を相対させることで内部を中空とするものである。
【００１９】
そして、各分割体３（４）の凹部の相対する部位には、それぞれ突条からなる仕切り板１０，１０・・・を一体的に形成して内部に複数の部屋Ａ〜Ｈを形成し、相対する部屋同士によってウエイト部材Ｗを収納保持するように構成したものである。
【００２０】
なお、図中１１は、２つの分割体３，４を相互に一体化せるビス１２を挿通させるための挿通孔で、各分割体３（４）の挿通孔が顕出する表面側には、ビス１２の頭部頂面と分割体３（４）の表面とが面一となるように凹部１３が形成されている。
【００２１】
また、図中１４は、分割体３の内側に形成された係合凹部で、図示しないが、他方の分割体４の、前記係合凹部１４と相対する部位には係合突起が形成され、両者を係合させることによって、フィッシング用ジグ１を組立てる際の位置合わせとするとともに、ジグ本体２にズレを生じさせることなく組立てることができる。
【００２２】
また、ジグ本体２を構成する各分割体３，４は、合成樹脂材料を使用してそれぞれ一体成型するものであるが、肉厚の薄い鋼材も使用することが可能で、ジグ本体２は、組立てた際に表面となる面に小魚を模した模様等を施すに際しては、サバ、イワシなど青魚のウロコ模様のフォログラムを塗装したものが好ましく、このウロコ模様のフォログラムをシート状に形成して接着剤などで貼付けしてもよい
また、各分割体３，４の内側に形成された凹部を仕切り板１０によって複数の部屋Ａ〜Ｈに区画するに際し、部屋の数にはなんら制限はないもので、各部屋Ａ〜Ｈに装填するウエイト部材Ｗは、鉛またはタングステンからなるもので、基本的には、薄い板状体であるが、音による集魚効果をフィッシング用ジグ１に付加したい場合には、球状のものを使用することもできる。
【００２３】
かかる構成部材を使用してフィッシング用ジグ１を組立てるには、いずれか一方の分割体３（４）の部屋Ａ〜Ｈの一つもしくは複数の部屋内に板状体からなるウエイト部材Ｗを装填したのち、前記係合突起または係合凹部１４を使用して分割体３，４を重ね合わせ、一方の表面からビス１２をそれぞれ挿通し、他方の表面に顕出したビス１２の先端部にナット（図示せず）を係合させてジグ本体２を形成すればよい。
【００２４】
なお、上記の実施の形態においては、一対の分割体３，４の一体化はビス１２を使用するものであるが、両者を確実に一体化できれば、たとえば、分割体３，３の上端部もしくは下端部を薄いヒンジを介して一体的に連結し、開閉自在な他端部同士を係合突起と係合凹部から締結具で確実に係合させる手段であってもよく、ルアーとしてジグに前記構成を採用しているが、プラグ形式のルアーにも適用が可能である。
【００２５】
以下、かかる構成からなるフィッシング用ジグ１に、取替え可能に入れられるウエイト部材Ｗの配置パターンの一例を、図３〜図７を参照にして説明する。
【００２６】
図３に示す配置パターンは、ジグ本体２における下方側のすべての部屋にウエイト部材Ｗを装填したもので、その動きは、図３に示しているように、リーリングするとスライドし、止めると体勢を水平にしてフォールするものである。
【００２７】
図４に示す配置パターンは、ジグ本体２における上下中央の４つの部屋にウエイト部材Ｗを装填したもので、その動きは、図４に示しているように、リーリングを止めると体勢を水平にして大きくヒラヒラとフォールするものである。
【００２８】
図５に示す配置パターンは、ジグ本体２の中央部から尾部側に位置する部屋のすべてにウエイト部材ｗを装填したもので、その動きは、図５に示しているように、後半部に重量が集中しているため沈降速度が速く、素早くポイントにジグを到達させることができるものである。
【００２９】
図６に示す配置パターンは、ジグ本体２の中央部より頭部側に位置する部屋のすべてにウエイト部材Ｗを装填したもので、その動きは、図６に示しているように、リーリングする際に浮力のある部分が下方となるため、リーリングを止めると浮力によって後方が浮くので、細かくヒラヒラと動かすことができるものである。
【００３０】
図７に示す配置パターンは、ジグ本体２の対角線上に位置する部屋、すなわち、頭部側の右側に位置する部屋と尾部側の左側に位置する部屋のすべてにウエイト部材Ｗを装填したもので、その動きは、図７に示すように、ジグをポイントに沈めるときやリーリングを止めたときに、螺旋を描くようにフォールさせることができるものである。
【図面の簡単な説明】
【００３１】
【図１】この発明のフィッシング用ジグの一実施例を示す斜視図である。
【図２】図１に示すフィッシング用ジグを構成する一方の分割体の正面図である。
【図３】この発明のフィッシング用ジグにおけるウエイト部材の配置パターンの一例を示す説明図である。
【図４】この発明のフィッシング用ジグにおけるウエイト部材の他の配置パターンを示す説明図である。
【図５】この発明のフィッシング用ジグにおけるウエイト部材のさらに他の配置パターンを示す説明図である。
【図６】この発明のフィッシング用ジグにおけるウエイト部材のさらに他の配置パターンを示す説明図である。
【図７】この発明のフィッシング用ジグにおけるウエイト部材のさらに他の配置パターンを示す説明図である。
【符号の説明】
【００３２】
１      フィッシング用ジグ
２      ジグ本体
３，４  分割体
５，６  挿通孔
７，８  アイ
９      フック
１０    仕切り板
１１    挿通孔
１２    ビス
１３    凹部
１４    係合凹部
Ａ〜Ｈ  部屋
Ｗ      ウエイト部材
【図１】
2005073664.tif 000003
【図２】
2005073664.tif 000004
【図３】
2005073664.tif 000005
【図４】
2005073664.tif 000006
【図５】
2005073664.tif 000007
【図６】
2005073664.tif 000008
【図７】
2005073664.tif 000009